(57)【要約】【課題】チケット（切符）購入のための手間と時間を低減することを可能とする。【解決手段】行先の降車駅を決めると、表示部４１に乗車駅名０が、表示部４２に降車駅名２が夫々表示されるとともに、表示欄４４には乗車日のデフォルトが、表示欄４５に乗車時間のデフォルトが、表示欄４６に乗車人数のデフォルトが夫々表示され、これらの表示内容でよい場合には、そのまま「確認」ボタン４８をタッチ操作するだけで、次の操作画面に移る。また、表示内容を変更する場合には、「変更」ボタン４７ａ〜４７ｅのいずれかをタッチ操作することにより、変更ができる。このように、乗車駅と降車駅との確認をするとともに、次の情報の変更や確認も同時に可能となる。【選択図】        図５
2005025358.tif 000002
【特許請求の範囲】
【請求項１】
路線毎に区分して駅名が表示され、いずれかの駅名を行先の降車駅として選択可能とする行先入力部と、各メニューが表示され、いずれかのメニューを選択可能とするメニュー表示部とからなる画面をトップ画面として表示することを特徴とする券売機の画面表示方法。
【請求項２】
行先の降車駅が選択されるとともに、乗車日と乗車人数とを変更可能な初期値でもって表わす検索条件確認画面を表示し、
該検索条件確認画面での確認結果に基づいて検索される経路を乗車駅から降車駅までのタイムスケジュールバーで表わすとともに、利用できる候補の列車を選択可能に表わす選択画面を表示することを特徴とする券売機の画面表示方法。
【請求項３】
請求項２において、
検索された前記経路での乗り継ぎの有無に応じて、前記選択画面は画面のフォームが異なることを特徴とする券売機の画面表示方法。
【請求項４】
請求項３において、
検索された前記経路に乗り継ぎがない場合には、前記選択画面は、列車選択画面として、乗車駅から降車駅までの前記タイムスケジュールバーと候補の列車とを表示し、該候補の列車を夫々、前記タイムスケジュールバーに平行に配列して選択可能に表示することを特徴とする券売機の画面表示方法。
【請求項５】
請求項４において、
前記列車選択画面では、前記候補の列車毎に、座席の種類を選択可能に表示し、列車と座席の種類とを同時に選択可能としたことを特徴とする券売機の画面表示方法。
【請求項６】
請求項５において、
前記列車選択画面で選択された列車や座席の種類を前記タイムスケジュールバーとともに表示し、かつ座席の位置や乗車券の購入の有無を選択可能とする確認画面を表示することを特徴とする券売機の画面表示方法。
【請求項７】
請求項３において、
検索された前記経路に乗り継ぎがある場合には、前記選択画面は、経路選択画面として、検索された前記経路毎及び候補となる列車毎に、乗車駅から降車駅までの乗り継ぎ駅を含めた前記タイムスケジュールバーを選択可能に表示することを特徴とする券売機の画面表示方法。
【請求項８】
請求項７において、
前記経路選択画面で選択された前記乗り継ぎ駅を含めたタイムスケジュールバーでの乗車駅と乗り継ぎ駅との間，隣り合う乗り継ぎ駅間及び乗り継ぎ駅と降車駅との間を夫々区間とし、区間毎に列車の座席の種類を選択可能とする列車選択画面を表示することを特徴とする券売機の画面表示方法。
【請求項９】
請求項８において、
前記列車選択画面で選択された列車や座席の種類を前記経路選択画面で選択された前記乗り継ぎ駅を含めたタイムスケジュールバーとともに表示し、かつ座席の位置や乗車券の購入の有無を選択可能とする確認画面を表示することを特徴とする券売機の画面表示方法。
【発明の詳細な説明】
【０００１】
【発明の属する技術分野】
本発明は、列車のチケットの券売機に係り、特に、顧客がチケット購入するために操作する画面の表示方法に関する。
【０００２】
【従来の技術】
駅構内などに設置される列車の券売機では、顧客が画面をタッチ操作しながら目的地や乗車日，乗車人数などの必要な情報を入力し、かかる入力情報に応じた路線や列車などを検索して画面表示し、表示された中から所望とする路線や列車が選択できるようにしている。
【０００３】
このような券売機の一例として、目的地を指定する方法に特徴を持たせたものが提案されている（例えば、特許文献１参照）。
【０００４】
これは、まず、初期画面で新幹線座席や特急座席などの券種を選択するための初期画面が表示され、この初期画面で所定の券種を選択すると、画面上に全国地図とともに、その地図上に券種に対する各駅名（例えば、新幹線を選択した場合には、新幹線の駅名）を表示し、顧客が全国地図での希望する駅名を含む地域を指定すると、この地域が拡大されて表示され、この地域での各駅が詳細に表示されるようにして、行先となる降車駅を正確に指定することができるようにしたものが提案されている。
【０００５】
また、他の例としては、同じ券売機でもって回数券の発行と座席指定券の発行とを行なうことができるようにしたものが提案されている（例えば、特許文献２参照）。
【０００６】
これは、メニュー画面で回数券の購入と座席予約とのメニューを選択可能とし、いずれの場合においても、各路線の選択画面が表示されて路線の選択を可能とし、路線が選択されると、この選択路線に関して乗車駅を選択する画面，行先の降車駅を選択する画面が順に表示されて乗車駅，降車駅の選択ができ、次いで、座席の種類（グリーン車や普通車），乗車人数，座席予約，乗車日などを順次画面を変えて指定することができるようにしている。
【０００７】
【特許文献１】
特開平６ー４７２８号公報
【０００８】
【特許文献】
特開平８ー１０６５５４号公報
【０００９】
【発明が解決しようとする課題】
ところで、上記従来の券売機では、チケット（切符）を購入するために必要な情報を入力するためには、夫々毎の入力画面が必要となり、購入操作に手間がかかるという問題があった。
【００１０】
本発明の目的は、かかる問題を解消し、チケット購入のための手間と時間を低減することを可能とした券売機の画面表示方法を提供することにある。
【００１１】
【課題を解決するための手段】
上記目的を達成するために、本発明は、関連する情報の入力操作を１つの画面にまとめて行なうことができるようにしたものである。
【００１２】
即ち、本発明は、路線毎に区分して駅名が表示され、いずれかの駅名を行先の降車駅として選択可能とする行先入力部と、各メニューが表示され、いずれかのメニューを選択可能とするメニュー表示部とからなる画面をトップ画面として表示するものである。
【００１３】
また、本発明は、行先の降車駅が選択されるとともに、乗車日と乗車人数とを変更可能な初期値でもって表わす検索条件確認画面を表示し、この検索条件確認画面での確認結果に基づいて検索される経路を乗車駅から降車駅までのタイムスケジュールバーで表わすとともに、利用できる候補の列車を選択可能に表わす選択画面を表示するものである。
【００１４】
さらに、本発明は、検索された経路での乗り継ぎの有無に応じて、選択画面は画面のフォームが異なるものであり、検索された経路に乗り継ぎがない場合には、選択画面は、列車選択画面として、乗車駅から降車駅までのタイムスケジュールバーと候補の列車とを表示し、候補の列車を夫々タイムスケジュールバーに平行に配列して選択可能に表示するものである。
【００１５】
そして、この列車選択画面では、候補の列車毎に、座席の種類を選択可能に表示し、列車と座席の種類とを同時に選択可能としたものであり、この列車選択画面で選択された列車や座席の種類を上記のタイムスケジュールバーとともに表示し、かつ座席の位置や乗車券の購入の有無を選択可能とする確認画面を表示するものである。
【００１６】
また、本発明は、検索された経路に乗り継ぎがある場合には、上記の選択画面は、経路選択画面として、検索された経路毎及び候補となる列車毎に、乗車駅から降車駅までの乗り継ぎ駅を含めたタイムスケジュールバーを選択可能に表示するものである。
【００１７】
そして、経路選択画面で選択されたタイムスケジュールバーでの乗車駅と乗り継ぎ駅との間，隣り合う乗り継ぎ駅間及び乗り継ぎ駅と降車駅との間を夫々区間として、区間毎に列車の座席の種類を選択可能とする列車選択画面を表示するものであり、この列車選択画面で選択された列車や座席の種類を上記の経路選択画面で選択された乗り継ぎ駅を含めたタイムスケジュールバーとともに表示し、かつ座席の位置や乗車券の購入の有無を選択可能とする確認画面を表示するものである。
【００１８】
【発明の実施の形態】
以下、本発明の実施形態を図面により説明する。
図１は本発明による券売機を用いたシステムを示す構成図であって、１は券売機、２は経路検索サーバ、３は列車予約サーバ、４ａ，４ｂはネットワーク、５ａ，５ｂはルータ、６は制御部である。
【００１９】
同図において、駅構内などに設置される券売機１は、その制御部６がルータ５ａ，ネットワーク４ａを介して経路検索サーバ２に、また、ルータ５ｂ，ネットワーク４ｂを介して列車予約サーバ３に夫々接続されている。また、この券売機１は、タッチパネル８が設けられた接客ディスプレイ７，タッチパネル１０が設けられた係員ディスプレイ９，現金ユニット１１，発券ユニット１２及び記憶装置１３などを備えており、これらが制御部６の制御のもとに動作する。
【００２０】
券売機１の前面側には、図２（ａ）に示すように、タッチパネル８を備えた接客ディスプレイ７と現金ユニット１１，発券ユニット１２が設けられており、かかる接客ディスプレイ７でタッチ操作することにより、列車の予約を行なうことができる。現金ユニット１１では、予約した列車の料金を支払うための紙幣やコインの投入口，カードの挿入口，釣銭の排出口などが設けられ、また、発券ユニット１２では、予約した列車の乗車券や指定券などのチケットの排出口が設けられている。
【００２１】
図１において、記憶装置１３には、顧客などが列車予約の操作に必要な画面が記憶されており、これが読み出されて接客ディスプレイ７に表示される。この接客ディスプレイ７では、顧客が、そのタッチパネル８をタッチ操作することにより、行先や乗車日時などを指定入力すると、この入力された指定情報が、制御部６の制御のもとに、ルータ５ａ及びネットワーク４ａを介して経路検索サーバ２に供給される。この経路検索サーバ２では、券売機１からの行先の指定情報などをもとに、乗車駅からこの指定された行先の降車駅までの経路を検索し、検索した経路の情報をネットワーク４ａ，ルータ５ａを介して券売機１の制御部６に渡す。制御部６は、かかる経路情報をルータ５ｂ，ネットワーク４ｂを介して列車予約サーバ３に送る。列車予約サーバ３は、かかる経路情報を基に、経路検索サーバ２で検索された路線での列車などの情報を検索し、その検索結果をネットワーク４ｂ，ルータ５ｂを介して券売機１の制御部６に送る。なお、ネットワーク４ａ，４ｂは同じネットワークであってもよい。制御部６は、経路検索サーバ２と列車予約サーバ３との検索結果を記憶装置１３に記憶するとともに、これを読み出して顧客ディスプレイ７にユーザが指定した乗車駅から降車駅までの路線とその路線で使用できる列車などを表示する。これにより、ユーザは、経路の確認をすることができるとともに、タッチパネル８をタッチ操作することにより、希望の列車やその座席などを指定することができる。
【００２２】
ユーザが、接客ディスプレイ７でのタッチパネル８をタツチ操作して希望の列車やその座席などの指定をし、現金ユニット１１に対して現金やカードによる料金の支払いをすると、発券ユニット１２が動作して乗車券や指定券などのチケットを作成し、これをユーザに提供する。
【００２３】
係員ディスプレイ９は駅係員などが用いるディスプレイであって、図２（ｂ）に示すように、券売機１の背面側に設けられており、タッチパネル１０をタッチ操作することにより、残金などの券売機１の状態の確認や接客ディスプレイ７に表示される操作画面の変更などをすることができるようにしている。例えば、時間帯，曜日，季節などによって時刻表などの変更がある場合、顧客ディスプレイ７で表示される内容も変更しなければならないが、この変更を係員が係員ディスプレイ９を用いて行なうことができる。
【００２４】
次に、図３により、かかる券売機１での本発明による画面表示方法の一実施形態を説明する。
【００２５】
券売機１に電源が投入されると、接客ディスプレイ７にトップ画面２０が表示されている（ステップ２００）。
【００２６】
このトップ画面２０は、図４（ａ）に示すように、行先入力部２１，２２とメニュー表示部２３と案内メッセージ部２４とから構成されている。行先入力部２１では、各路線Ａ，Ｂ，……毎に主要な駅名（例えば、大都市での駅や利用頻度が高い駅など）が表示されており（駅名の表示個所は、タッチパネル８（図２（ａ））により、タッチキーの機能を有している。以下同様）、案内メッセージ部２４での、例えば、「行先の駅を押してください」という案内メッセージに従って希望する行先の駅名の個所をタッチ操作すると、その行先が降車駅として指定されて、図５（ａ）に示す検索条件確認画面４０が表示される（図３のステップ２０２）。
【００２７】
また、トップ画面２０での行先入力部２２は、行先入力部２１に表示されない駅名を指定する場合や行先入力部２１で行先を探すのが面倒な場合などで用いられるものであって、この行先入力部２２をタッチ操作すると、図４（ｂ）に示す降車駅入力画面３０が表示される（図１のステップ２０１）。この降車駅入力画面３０には、降車駅名を入力するための五十音のタッチキーからなるキーボード３１と、降車駅名の入力欄３２と、例えば、「行先の駅名を入力してください」といったようなこの降車駅入力画面３０での操作の仕方を案内するメッセージを表示する案内メッセージ部３３と、「戻る」ボタン３４とが設けられており、案内メッセージ部３３の案内に従ってキーボード３１を操作することにより、入力欄３２に行先の降車駅を入力することができる。ここでは、平仮名入力されるが、人文字入力されるたびに入力された文字列を含む駅名の検索を行ない、検索結果の候補数が一定値（例えば、１０個）よりも少なくなったときに、画面を切り替え、候補となる駅名が選択ボタン（駅名ボタン）として表示する。かかる画面で駅名ボタンをタッチ操作すると、降車駅が確定する。また、キーボード３１に設けられた「訂正」ボタン３５により、入力欄３２に入力された文字が新しく入力された順に１文字ずつ消去することができ、これにより、入力文字の訂正をすることができる。
【００２８】
上記のように切り替えられた図示しない画面で駅名ボタンをタッチ操作して降車駅の駅名を確定すると、図５（ａ）に示す検索条件確認画面４０の表示状態となる（図３のステップ２０２）。また、降車駅入力画面３０で「戻る」ボタン３４をタッチ操作すると、図４（ａ）に示すトップ画面２０に戻る。この場合には、降車駅入力画面３０で入力された駅名はキャンセルされることになる。なお、以下の各画面においても、「戻る」ボタンをタッチ操作すると、１つ前の画面に戻ることになる。
【００２９】
また、図４に示すトップ画面２０において、メニュー表示部２３には、この券売機１で機能するメニュー１，２，……が表示される。即ち、このメニュー表示部２３はメニュー画面をなすものであり、選択されたメニュー以外のメニューが表示されている。ここで、例えば、メニュー１は回数券購入のためのメニュー、メニュー２は予約済みの内容の読み出しのためのメニュー、メニュー３，４，５はさらに他のメニューである。図４（ａ）では、メニュー３が表示されていないが、現在の時間帯では、メニュー３の機能は利用されることはないものとし、このために表示していない。
【００３０】
このようにして、トップ画面２０は、路線毎の駅名を入力する行先入力部２１と任意の駅名を入力する行先入力部２２とからなる画面と、複数のメニューを表示するメニュー画面とが表示するものであり、かかるトップ画面２０において、直ちに行先の駅名を入力操作できるとともに、他のメニューの選択もできるようにしている。メニュー表示部２３では、現在の時間帯で利用できるメニューだけが表示される。券売機１に電源が投入されて動作状態となると、まず、かかるトップ画面２０が接客ディスプレイ７に表示される。
【００３１】
図５（ａ）に示す検索条件確認画面４０では、乗車駅名「駅０」を表示する乗車駅表示欄４１と、指定された行先の降車駅名「駅２」を表示する降車駅表示欄４２と、希望乗車日を表示する乗車日表示欄４４と、乗車時刻を表示する時間表示欄４５と、乗車人数を表示する人数表示欄４６と、この検索条件確認画面４０の操作方法を案内する案内メッセージ欄４３とが設けられ、各表示欄４１，４２，４４〜４６には夫々「変更」ボタン４７ａ〜４７ｅが設けられている。
【００３２】
乗車駅表示欄４１には、デフォルトとして、この券売機１が設置されている駅名が指定された表示されるが、「変更」ボタン４７ａをタッチ操作することにより、例えば、図４（ｂ）に示す降車駅名入力画面３０と同様の乗車駅入力画面が表示され、これにより、乗車駅名を変更することができる。このような変更操作を行なうと、乗車駅表示欄４１でその変更結果を表示した図５（ａ）に示す検索条件確認画面４０に戻る。
【００３３】
降車駅表示欄４２には、図４（ａ）に示すトップ画面２０、もしくは図４（ｂ）に示す降車駅入力画面３０で指定された降車駅名が表示されるが、「変更」ボタン４７ｂをタッチ操作することにより、例えば、図４（ｂ）に示す降車駅入力画面３０と同様の画面が表示されて降車駅名を変更することができる。このような変更操作を行なうと、降車駅表示欄４２でその変更結果を表示した図５（ａ）に示す検索条件確認画面４０に戻る。
【００３４】
また、乗車日表示欄４４には、デフォルトとして、例えば「本日」が表示され、時間表示欄４５には、デフォルトとして、例えば「今すぐ」が表示され、人数表示欄４６には、デフォルトとして、例えば「大人１人」が表示されるが、夫々の「変更」ボタン４７ｃ，４７ｄ，４７ｅをタッチ操作することにより、それを変更することができる。
【００３５】
例えば、乗車日表示欄４４で「変更」ボタン４７ｃをタッチ操作すると、図５（ｂ）に示す乗車日変更画面５０が表示される（図３のステップ２０３）。この乗車日変更画面５０では、カレンダ５１と案内メッセージ部５２と「戻る」ボタン５３とが設けられている。案内メッセージ部５２での案内に従って、カレンダ５１において、希望する乗車日を指定すると、図５（ａ）に示す検索条件確認画面４０に移り、乗車日表示欄４４での乗車日が変更されている。乗車日表示欄４４で変更を要しない場合には、「戻る」ボタン５３をタッチ操作すればよく、これにより、変更せずに図５（ａ）の検索条件確認画面４０に戻る。時間表示欄４５や人数表示欄４６についても同様であり、夫々を希望のものに変更することができる。
【００３６】
このようにして、検索条件確認画面４０では、行先である降車駅を指定すると、乗車駅，降車駅の他に、チケット購入に必要な乗車日，乗車時間，人数といった情報も、デフォルトとしてではあるが、同時に表示されることになり、顧客の希望内容を全体的に確認することができるし、また、そのうちのいずれかを変更するにしても、この検索条件確認画面４０で変更する項目を指定することにより、行なうことができて、変更のために画面を前に戻すという操作が不要となる。このため、変更の手間も大幅に低減されることになる。
【００３７】
なお、図５（ａ）に示す検索条件確認画面４０において、「取消」ボタン４３ａがタッチ操作されると、図４に示すトップ画面２０に戻り、また、「戻る」ボタン４９がタッチ操作されると、１つ前に表示された画面に戻る。
【００３８】
また、この検索条件確認画面４０において、各表示欄４１，４２，４４〜４６での表示内容が全て希望するものであって、次に、「確認」ボタン４８をタッチ操作すると、これら表示欄４１，４２，４４〜４６での情報を基に、図１において、経路検索サーバ２で路線の検索が行なわれ、さらに、列車予約サーバ３で列車の検索が行なわれる。
【００３９】
この検索の結果、経路中に乗り継ぎがない場合には、図６に示す列車選択画面６０が表示される（図３のステップ２０４）。この列車選択画面６０では、経路検索サーバ２（図１）で検索された乗車駅０から行先の降車駅２までの経路がタイムスケジュールバー６１で示され、また、列車予約サーバ３で検索されたこの経路に対する列車のリスト（列車リスト）６２が表示される。この列車リスト６２では、検索された列車（特急列車Ａ，Ｂ，Ｃ，……）が乗車駅０での発車時刻順、もしくは降車駅２での到着時刻順に配列して表示されており、各列車とも乗車駅側に発車時刻が、降車駅側に到着時刻が夫々表示されている。また、各列車毎に指定席，特等席，自由席といった座席の種類毎の料金も表示されている。この列車リスト６２では、禁煙の指定席と喫煙の指定席とを席１，２で示しており、この路線の特急列車では、指定席の料金が４２８０円であることを示している。同様にして、禁煙の特等席と喫煙の特等席を席３，４で示し、特等席の料金が７７００円であること示している。席５で示す自由席は料金が３５７０円であることを示している。
【００４０】
列車選択画面６０で表示可能な列車数以上の列車が検索されている場合には、「下方スクロール」ボタン６３ａと「上方スクロール」ボタン６３ｂとが表示される。「上方スクロール」ボタン６３ｂをタッチ操作すると、列車リスト６２が上方にスクロールし、下方から次の候補となる列車群が表示される。また、「下方スクロール」ボタン６３ａをタッチ操作すると、列車リスト６２が下方にスクロールし、前の候補の列車群が表示される。このようにして、検索された全ての列車を確認することができる。
【００４１】
このように、列車選択画面６０では、列車の選択とともに、この選択された列車での座席の種類や喫煙／禁煙の別も同時に選択されることになり、操作が大幅に簡略化される。
【００４２】
この列車選択画面６０の列車リスト６２で所望の列車（ここでは、特急Ａとする）とその座席の種類（指定席か特等席か自由席か、また、禁煙席か喫煙席か）を選択すると、図７に示す発券内容確認画面７０が表示される。
【００４３】
この発券内容確認画面７０では、図６の列車選択画面６０でのタイムスケジュールバー６１と同じタイムスケジュールバー７１と、列車選択画面６０の列車リスト６２で選択された内容を表わす列車表示欄７２と、座席位置選択欄７３と、乗車券購入欄７４とが設けられている。列車表示欄７２では、選択された列車（特急Ａ）と選択された座席の種類（禁煙の指定席）と料金（４２８０円）とが表示される。座席位置選択欄７３では、座席の位置について、「通路側」，「窓側」，「おまかせ」のいずれかを選択できるが、デフォルトは「おまかせ」になっている。乗車券購入欄７４では、乗車券を購入するか否かを選択することができるが、デフォルトは「購入する」になっている。
【００４４】
タイムスケジュールバー７１と列車表示欄７２との内容を確認し、また、座席位置選択欄７３で座席位置を指定するか、デフォルトにするか、さらに、乗車券購入欄７４で「不要」ボタンを押すか、デフォルトのままにするかして「確認」ボタン７５をタッチ操作すると、以上の指定内容に基づいて発券を行なう発券画面へ進む（図３のステップ２１０）。
【００４５】
このようにして、この発券内容確認画面７０では、選択された列車やその座席の種類，禁煙／喫煙の別を確認することができるとともに、これに関連する座席の位置や乗車券の購入の有無なども同時に確認もしくは選択することが可能となり、１つの画面で複数の情報の入力ができて、画面を切り替える手間が省け、操作が大幅に簡略化できる。
【００４６】
一方、図５に示す検索条件確認画面４０の内容に基づく経路検索サーバ２，列車予約サーバ３での検索の結果、乗車駅０から降車駅２との間に乗り継ぎがある場合には、図８に示す経路選択画面８０が表示される（図３のステップ２０６）。この経路選択画面８０では、各経路及び列車毎のタイムスケジュールバーのリスト（スケジュールリスト）８１が表示され、そのいずれかを選択することができる。ここでは、乗車駅０と行先の降車駅２との間に乗り継ぎ駅３，４があるタイムスケジュールバー８２ａと、乗車駅０と行先の降車駅２との間に乗り継ぎ駅５があるタイムスケジュールバー８２ｂと、乗り継ぎはタイムスケジュールバー８２ｂと同じであるが、乗車駅０での発車時刻が異なるタイムスケジュールバー８２ｃとが表示されているものとする。ここで、各タイムスケジュールバーは、降車駅２での到着時刻が早い順に配列しているが、乗車駅０での発車時刻が早い順に配列するようにしてもよい。
【００４７】
各タイムスケジュールバー８２ａ〜８２ｃでは、乗車駅０での発車時刻、降車駅２で到着時刻、乗り継ぎ駅３〜５での到着時刻，発車時刻が表示されており、また、特急列車が利用できる区間では、その列車名が表示されている。例えば、タイムスケジュールバー８２ａでは、乗車駅０から乗り継ぎ駅３までの間は特急列車Ａであり、乗り継ぎ駅３，４間は特急列車Ｂであることを示している。なお、乗り継ぎ駅４から降車駅２までの間は列車名が表示されていないが、これは普通列車であることを示している。
【００４８】
さらに、各タイムスケジュールバー８２ａ〜８２ｃ毎に、所要料金も表示されている。
【００４９】
経路検索サーバ２及び列車予約サーバ３で検索されたタイムスケジュールバーが経路選択画面８０で表示しきれないほど多い場合には、「下方スクロール」ボタン８４ａと「上方スクロール」ボタン８４ｂとが表示される。「上方スクロール」ボタン８４ｂをタッチ操作すると、スケジュールリスト８１が上方にスクロールし、下方から新たなタイムスケジュールバーが表示される。また、「下方スクロール」ボタン８４ａをタッチ操作すると、スケジュールリスト８１が下方にスクロールし、上方から新たな列車が表示される。このようにして、検索された全てのタイムスケジュールバーを確認することができる。
【００５０】
かかる経路選択画面８０において、案内メッセージ部８５の案内に従って、所望とするタイムスケジュールバー、例えば、タイムスケジュールバー８２ａを、その「選択」ボタン８３ａをタッチ操作することにより、選択すると、図９に示すこの選択されたタイムスケジュールバー８２ａに関し、先乗り列車選択画面９０が表示される（図３のステップ２０７）。
【００５１】
このように、経路選択画面８０では、タイムスケジュールバーによって乗換えの様子が一目でわかるし、列車の選択に必要な各乗り継ぎ駅での到着時刻や行先の降車駅での到着時刻、特急列車の有無，料金などが表示されるので、列車の選択が容易となる。
【００５２】
この先乗り列車選択画面９０では、経路選択画面８０で選択されたタイムスケジュールバー８２ａでの最初の区間、即ち、乗車駅０から最初の乗り継ぎ駅３までのタイムスケジュールバー８２ａ１が表示され、そこで利用する特急列車、即ち、特急列車Ａでの座席種類選択部９１が表示される。この座席種類選択部９１では、図６に示した列車リスト６２での各列車Ａ，Ｂ，Ｃ，……の座席種類の選択部と同様、座席の種類（指定席，特等席，自由席の別）と禁煙席か喫煙席かを選択できるものであって、席１，２は指定の禁煙席，喫煙席を、席３，４は特等の禁煙席，喫煙席を、席５は自由席を夫々表わしている。また、座席の種類毎の料金や乗車駅０での発車時刻、乗り継ぎ駅３での到着時刻も表示されている。
【００５３】
案内メッセージ部９２の案内に従って、座席種類選択部９１での座席の種類及び禁煙，喫煙の別を、席１〜５のいずれかをタッチ操作することにより、選択すると、特急列車Ａでの座席の種類及び禁煙，喫煙の別が確定し、次に、図１０に示す後乗り列車選択画面１００が表示される（図３のステップ２０８）。
【００５４】
この後乗り列車選択画面１００では、経路選択画面８０で選択されたタイムスケジュールバー８２ａでの次の区間、即ち、乗り継ぎ駅３から次の乗り継ぎ駅４までのタイムスケジュールバー８２ａ２が表示され、そこで利用する特急列車、即ち、特急列車Ｂでの座席種類選択部１０１が表示される。この座席種類選択部１０１では、図９に示した先乗り列車選択画面９０での座席種類選択部９１と同様、特急列車Ｂでの座席の種類（指定席，特等席，自由席の別）と禁煙席か喫煙席かとを選択できるものであって、席１，２は指定の禁煙席，喫煙席を、席３，４は特等の禁煙席，喫煙席を、席５は自由席を夫々表わしている。また、座席の種類毎の料金や乗り継ぎ駅３での発車時刻、次の乗り継ぎ駅４での到着時刻も表示されている。
【００５５】
案内メッセージ部１０２の案内に従って、座席種類選択部１０１での座席の種類及び禁煙，喫煙の別を、席１〜５のいずれかをタッチ操作することにより、選択すると、特急列車Ｂでの座席の種類及び禁煙，喫煙の別が確定する。
【００５６】
以下同様にして、特急列車を利用する区間では、その区間毎に図９，図１０に示すような列車選択画面が表示され、この特急列車での座席の種類及び禁煙，喫煙の別を選択することができる。
【００５７】
ここでは、タイムスケジュールバー８２ａで乗車駅０から乗り継ぎ駅３までの区間と乗り継ぎ駅３から次の乗り継ぎ駅４までの区間とで特急列車が利用できるものであるから、図１０に示す後乗り列車選択画面１００で特急列車Ｂの座席の種類及び禁煙，喫煙の別を選択すると、このタイムスケジュールバー８２ａに対する処理が終了し、図１１に示す発券内容確認画面１１０が表示される。
【００５８】
このように、乗り継ぎがある路線では、各乗り継ぎの区間毎に列車の座席の種類や禁煙／喫煙の別を選択することが可能であるが、この場合、区間毎に画面を変えて選択することができるようにしている。これは、乗り継ぎがない場合の図６に示す列車選択画面６０と同様の操作により、かかる選択ができるようにするためである。区間毎に画面を切り替えることになるが、顧客にとって関心のある料金などを明確に表示することができ、顧客は座席の種類などを選択するのにし易いものとなる。
【００５９】
この発券内容確認画面１１０では、乗り継ぎ駅３，４があるタイムスケジュールバー８２ａに対し、図７に示した発券内容確認画面７０と同様の内容が表示される。即ち、発券内容確認画面１１０において、図８に示す経路選択画面８０でのタイムスケジュールバー８２ａと同様のタイムスケジュールバー１１１が表示され、図７に示した発券内容確認画面７０での列車表示欄７２に相当する特急列車Ａ，Ｂ毎の列車表示欄１１２ａ，１１２ｂと、座席位置選択欄１１３と、乗車券購入欄１１４とが設けられている。列車表示欄１１２ａ，１１２ｂでは夫々、選択された列車（特急列車Ａ，Ｂ）毎に選択された座席の種類（禁煙の指定席）と料金（３４３０円と２４３０円）とが表示される。座席位置選択欄１１３では、座席の位置について、「通路側」，「窓側」，「おまかせ」のいずれかを選択できるものであるが、デフォルトは「おまかせ」となっている。乗車券購入欄１１４では、乗車券を購入するか否かを選択することができるが、デフォルトは「購入する」となっている。
【００６０】
タイムスケジュールバー１１１と列車表示欄１１２ａ，１１２ｂとの内容を確認し、また、座席位置選択欄１１３で座席位置を指定するか、デフォルトにするかし、さらに、乗車券購入欄１１４で乗車券を「不要」にするか、デフォルトのままにするかして「確認」ボタン１１５をタッチ操作すると、以上の指定内容に基づいて発券を行なう発券画面へ進む（図３のステップ２１０）。
【００６１】
従って、この発券内容確認画面１１０も、図７に示した発券内容確認画面７０と同様の効果が得られるものである。
【００６２】
図１２は券売機１の背面側に設けられた係員ディスプレイ９に表示される係員画面の一具体例としての設定参照画面１２０を示す図である。
【００６３】
この設定参照画面１２０は、券売機１でのメニュー表示の設定条件を係員が確認するためのものであって、トップ画面２０（図４（ａ））でのメニュー表示の平日に運用されるスケジュール表１２１ａと土曜・休日に運用されるスケジュール表１２１ｂとが表示されており、運用される側のスケジュール表側に「運用中」という表記１２２が付される。ここでは、現時点が「２００２．０４．１１（月）０５：４８」であって、平日であるから、平日用のスケジュール表１２１ａ側に「運用中」の表記１２２が付されている。
【００６４】
平日用のスケジュール表１２１ａによると、平日では、券売機１は４時３０分から２４時３０分まで稼働するものであり、４時３０分から６時００分までパターン３が採用され、６時００分から２２時００分までパターン１が採用され、２２時００分から２４時３０分までパターン３が採用されることを示している。
【００６５】
ここで、パターン１，３とは、図４（ａ）に示すトップ画面２０のメニュー表示部２３で表示されるメニューの組み合わせを表わすものであって、そのパターンの例が図１２に示す設定参照画面１２０でのパターンリスト１２３に示されている。これによると、トップ画面２０のメニュー表示部２３（図４（ａ））に表示するメニューは５個のメニュー１，２，３，４，５があり、
パターン１は全てのメニュー１〜５を表示し、
パターン２はメニュー５以外、即ち、メニュー１〜４を表示し、
パターン３はメニュー３以外、即ち、メニュー１，２，４，５を表示し、
パターン４はメニュー１，２，４だけを表示し、
パターン５はメニュー１，２，５だけを表示
するものである。ここでは、パターン６〜１０もあるものとし、タッチキー１２４をタッチすることにより、パターン１〜５に代えてこれらパターン６〜１０を表示させることができる。
【００６６】
現時点が「２００２．０４．１１（月）０５：４８」であって、平日用のスケジュール表１２１ａで４時３０分から６時００分の時間帯にあり、このとき採用されるメニューの表示パターンはパターン３である。図４（ａ）に示すトップ画面２０がこのパターン３が取られているときの状態を示すものであって、メニュー１，２，４，５が表示されている。６時００分から２２時００分の時間帯になると、パターン１が取られるから、トップ画面２０のメニュー表示部２３では、全てのメニュー１〜５が表示されることになる。
【００６７】
図１２に示す設定参照画面１２０において、土曜・休日には、トップ画面２０でのメニュー表示がスケジュール表１２１ｂに従って行なわれる。これによると、券売機１は５時００分から２３時３０分まで稼働し、５時００分から８時００分までの時間帯では、パターン３に従ってメニュー表示が行なわれ、８時００分から２０時００分までの時間帯では、パターン１に従ってメニュー表示が行なわれ、２０時００分から２３時３０分までの時間帯では、パターン１に従ってメニュー表示が行なわれることになる。
【００６８】
また、「確認画面」ボタン１２５ａをタッチ操作することにより、パターン１での各メニュー１〜５の画面を確認することができ、「確認画面」ボタン１２５ｂをタッチ操作することにより、パターン２での各メニュー１〜４の画面を確認することができ、「確認画面」ボタン１２５ｃをタッチ操作することにより、パターン３での各メニュー１，２，４，５の画面を確認することができ、「確認画面」ボタン１２５ｄをタッチ操作することにより、パターン４での各メニュー１，２，４の画面を確認することができ、「確認画面」ボタン１２５ｅをタッチ操作することにより、パターン５での各メニュー１，２，５の画面を確認することができる。
【００６９】
パターンリスト１２３においては、図４（ｂ）に示す降車駅入力画面３０のレイアウトも指定されている。ここでは、メニューのパターン１〜５に対し、かかるレイアウトは同じレイアウト１が設定されている。ここでは、このレイアウト１を図４（ａ）に示す降車駅ボタンの配列順としている。
【００７０】
なお、かかる設定参照画面１２０でのスケジュール表１２１ａ，１２ｂやパターンリスト１２３，降車駅入力画面３０のレイアウトについての変更は、図示しない他の画面を用いて行なうことができる。
【００７１】
図１３は券売機１の係員ディスプレイ９に表示される係員画面の他の具体例としての路線切離し画面１３０を示す図である。
【００７２】
この路線切離し画面１３０は、図４に示すトップ画面２０で表示する路線を運用するか否か（切り離し）を設定するためのものであり、運用しない路線は、トップ画面２０で表示しないか、あるいは使用できない不活性の状態とする。
【００７３】
路線切離し画面１３０では、各路線Ａ，Ｂ，Ｃ，……，Ｆ毎に運用中と切離中とのいずれかを選択可能としており、ここでは、路線Ａが切離中、これ以外の路線Ｂ〜Ｆが全て運用中に設定されているものとする。従って、この場合には、図４に示すトップ画面２０において、「路線Ａ」の各駅名のタッチキーは不活性となり、あるいは表示されない。
【００７４】
【発明の効果】
以上説明したように、本発明によると、関連する情報の入力などの操作や情報の確認を同じ画面で行なうことができるので、画面の切替えなどの操作を省くことができ、チケット購入のための操作の手間を簡略化でき、また、操作に要する時間を大幅に低減することができる。
【図面の簡単な説明】
【図１】図１は本発明による券売機を用いたシステムを示す構成図である。
【図２】図１における券売機の外観図である。
【図３】本発明による券売機の画面表示方法の一実施形態での画面の流れを示す図である。
【図４】図３におけるトップ画面及び降車駅入力画面の一具体例を示す図である。
【図５】図３における検索条件確認画面と乗車日変更画面の一具体例を示す図である。
【図６】図３における列車選択画面の一具体例を示す図である。
【図７】図３における乗り継ぎがない場合の発券内容確認画面の一具体例を示す図である。
【図８】図３における経路選択画面の一具体例を示す図である。
【図９】図３における先乗り列車選択画面の一具体例を示す図である。
【図１０】図３における後乗り列車選択画面の一具体例を示す図である。
【図１１】図３における乗り継ぎがある場合の発券内容確認画面の一具体例を示す図である。
【図１２】図２（ｂ）に示す係員ディスプレイに表示される係員画面の一具体例を示す図図である。
【図１３】図２（ｂ）に示す係員ディスプレイに表示される係員画面の他の具体例を示す図図である。
【符号の説明】
１  券売機
２  経路検索サーバ
３  列車予約サーバ
６  制御部
７  接客ディスプレイ
８  タッチパネル
９  係員ディスプレイ
１０  タッチパネル
１１  現金ユニット
１２  発券ユニット
１３  記憶装置
２０  トップ画面
２１，２２  行先入力部
２３  メニュー表示部
３０  降車駅入力画面
３１  キーボード
４０  検索条件確認画面
４１  乗車駅表示欄
４２  降車駅表示欄
４４  乗車日表示欄
４５  時間表示欄
４６  人数表示欄
５０  乗車日変更画面
６０  列車選択画面
６１  タイムスケジュールバー
６２  列車リスト
７０  発券内容確認画面
７１  タイムスケジュールバー
７２  列車表示欄
７３  座席位置選択欄
７４  乗車券購入欄
８０  経路選択画面
８１  スケジュールリスト
８２ａ〜８２ｃ，８２ａ１，８２ａ２  タイムスケジュールバー
９０  先乗り列車選択画面
９１  座席種類選択部
１００  後乗り列車選択画面
１０１  座席種類選択部
１１０  発券内容確認画面
１１１  タイムスケジュールバー
１１２ａ，１１２ｂ  列車表示欄
１１３  座席位置選択欄
１１４  乗車券購入欄
１２０  設定参照画面（係員画面）
１３０  路線切離し画面（係員画面）
【図１】
2005025358.tif 000003
【図２】
2005025358.tif 000004
【図３】
2005025358.tif 000005
【図４】
2005025358.tif 000006
【図５】
2005025358.tif 000007
【図６】
2005025358.tif 000008
【図７】
2005025358.tif 000009
【図８】
2005025358.tif 000010
【図９】
2005025358.tif 000011
【図１０】
2005025358.tif 000012
【図１１】
2005025358.tif 000013
【図１２】
2005025358.tif 000014
【図１３】
2005025358.tif 000015